(57)【要約】【課題】名刺の機能を確保しつつ、意図しない第三者に対する個人情報の流出を抑制し、高いセキュリティ保護を実現できる名刺を提供すること。【解決手段】名刺に内蔵された名刺情報記憶部に、名刺発行者の個人情報を電子データにて書き込む書込手段を備えた名刺発行装置であって、名刺発行者の個人情報の入力を受け付ける個人情報取得手段と、名刺を受け取る受取者に割り当てられた暗号化鍵データの入力を受け付ける暗号化鍵取得手段と、取得した個人情報を暗号化鍵データを用いて暗号化する暗号化手段と、を備えると共に、書込手段が、暗号化された個人情報を名刺の名刺情報記憶部に記憶する。【選択図】図１
2007185821.tif 000002
【特許請求の範囲】
【請求項１】
名刺に内蔵された名刺情報記憶部に、名刺発行者の個人情報を電子データにて書き込む書込手段を備えた名刺発行装置であって、
前記名刺発行者の個人情報の入力を受け付ける個人情報取得手段と、
名刺を受け取る受取者に割り当てられた暗号化鍵データの入力を受け付ける暗号化鍵取得手段と、
前記取得した個人情報を前記暗号化鍵データを用いて暗号化する暗号化手段と、
を備えると共に、
前記書込手段が、前記暗号化された個人情報を前記名刺の名刺情報記憶部に記憶する、
ことを特徴とする名刺発行装置。
【請求項２】
前記暗号化鍵取得手段は、前記名刺受取者が所有する個人情報カードに予め記憶された前記暗号化鍵データを当該個人情報カードから読み取って取得する、ことを特徴とする請求項１記載の名刺発行装置。
【請求項３】
前記個人情報取得手段は、前記名刺発行者が所有する個人情報カードに予め記憶された前記個人情報を当該個人情報カードから読み取って取得する、ことを特徴とする請求項１又は２記載の名刺発行装置。
【請求項４】
前記個人情報カードに予め記憶された当該個人情報カードの所有者固有の認証用生体情報を読み取る認証用生体情報読取手段と、
前記個人情報カードの所有者から当該所有者固有の生体情報の入力を受け付ける生体情報取得手段と、
前記個人情報カードから読み取った認証用生体情報と前記所有者から入力された生体情報との認証を行う認証手段と、を備え、
前記暗号化鍵取得手段、あるいは、前記個人情報取得手段は、前記認証手段による前記認証が成功したときに前記個人情報カードから所定の情報の読み取りが可能となる、
ことを特徴とする請求項２又は３記載の名刺発行装置。
【請求項５】
前記暗号化手段は、前記名刺受取者に割り当てられた暗号化鍵データと対となる復号化鍵データにて符号可能なよう暗号化する、ことを特徴とする請求項１，２，３又は４記載の名刺発行装置。
【請求項６】
前記復号化鍵データの入力を受け付ける復号化鍵取得手段と、前記名刺の名刺情報記憶部に記憶された暗号化個人情報を読み取る読取手段と、表示手段と、前記読み取った暗号化個人情報を前記読み取った復号化鍵データを用いて復号する復号化手段と、この復号された個人情報を前記表示手段に表示する表示処理手段と、を備えた、
ことを特徴とする請求項５記載の名刺発行装置。
【請求項７】
前記復号化鍵取得手段は、前記請求項２記載の前記名刺受取者が所有する個人情報カードに予め記憶された前記復号化鍵データを当該個人情報カードから読み取って取得する、ことを特徴とする請求項６記載の名刺発行装置。
【請求項８】
前記復号化鍵取得手段は、前記請求項４記載の前記認証手段による前記認証が成功したときに前記個人情報カードから前記復号化鍵データの読み取りが可能となる、ことを特徴とする請求項６又は７記載の名刺発行装置。
【請求項９】
前記名刺に形成された印刷表示領域に、前記個人情報取得手段にて取得された前記名刺発行者の個人情報の一部を印刷する印刷手段を備えた、ことを特徴とする請求項１，２，３，４，５，６，７又は８記載の名刺発行装置。
【請求項１０】
名刺発行者の個人情報が電子データにて記憶された名刺情報記憶部を内蔵した名刺を受け付けて、当該名刺情報記憶部に記憶された電子データを読み取る読取手段と、この読み取ったデータが表示される表示手段と、を備えた名刺参照装置であって、
前記読取手段は、名刺を受け取る名刺受取者に割り当てられた暗号化鍵データを用いて暗号化された前記名刺発行者の個人情報を前記名刺情報記憶部から読み取ると共に、
前記暗号化鍵データと対となる復号化鍵データの入力を受け付ける復号化鍵取得手段と、前記読取手段にて読み取った暗号化個人情報を前記読み取った復号化鍵データを用いて復号する復号化手段と、この復号された個人情報を前記表示手段に表示する表示処理手段と、
を備えたことを特徴とする名刺参照装置。
【請求項１１】
前記復号化鍵取得手段は、前記名刺受取者が所有する個人情報カードに予め記憶された前記復号化鍵データを当該個人情報カードから読み取って取得する、ことを特徴とする請求項１０記載の名刺発行装置。
【請求項１２】
前記個人情報カードに予め記憶された当該個人情報カードの所有者固有の認証用生体情報を読み取る認証用生体情報読取手段と、
前記個人情報カードの所有者から当該所有者固有の生体情報の入力を受け付ける生体情報取得手段と、
前記個人情報カードから読み取った認証用生体情報と前記所有者から入力された生体情報との認証を行う認証手段と、を備え、
前記復号化鍵取得手段は、前記認証手段による前記認証が成功したときに前記個人情報カードから前記復号化鍵データの読み取りが可能となる、ことを特徴とする請求項１１記載の名刺参照装置。
【請求項１３】
請求項１乃至１２記載の名刺発行装置あるいは名刺参照装置にて発行あるいは参照され、前記暗号化鍵データにて暗号化された前記名刺発行者の個人情報が記憶される名刺情報記憶部を備えた、ことを特徴とする名刺。
【請求項１４】
請求項２乃至９、又は、請求項１１，１２記載の名刺発行装置あるいは名刺参照装置によって読み取られる前記暗号化鍵データ、前記復号化鍵データ、前記個人情報、前記認証用生体情報、のうち少なくともいずれかを記憶している、ことを特徴とする個人情報カード。
【請求項１５】
名刺発行者の個人情報が電子データにて記憶される名刺情報記憶部を内蔵した名刺を発行する方法であって、
前記名刺発行者の個人情報の入力を受け付ける個人情報取得工程と、この個人情報取得工程に前後して名刺を受け取る受取者に割り当てられた暗号化鍵データの入力を受け付ける暗号化鍵取得工程と、を有し、
前記取得した個人情報を前記暗号化鍵データを用いて暗号化する暗号化工程と、前記暗号化された個人情報を前記名刺の名刺情報記憶部に記憶する書込工程と、
を有する、
ことを特徴とする名刺発行方法。
【請求項１６】
前記暗号化鍵取得工程は、前記名刺受取者が所有する個人情報カードに予め記憶された前記暗号化鍵データを当該個人情報カードから読み取って取得する、ことを特徴とする請求項１５記載の名刺発行方法。
【請求項１７】
前記個人情報取得工程は、前記名刺発行者が所有する個人情報カードに予め記憶された前記個人情報を当該個人情報カードから読み取って取得する、ことを特徴とする請求項１５又は１７記載の名刺発行方法。
【請求項１８】
前記暗号鍵取得工程、及び／あるいは、前記個人情報取得工程は、
前記個人情報カードに予め記憶された当該個人情報カードの所有者固有の認証用生体情報を読み取ると共に前記個人情報カードの所有者から当該所有者固有の生体情報の入力を受け付け、前記個人情報カードから読み取った認証用生体情報と前記所有者から入力された生体情報との認証を行い、当該認証が成功したときに前記個人情報カードから所定の情報の読み取りが可能となる、
ことを特徴とする請求項１６又は１７記載の名刺発行方法。
【請求項１９】
名刺発行者の個人情報が電子データにて記憶された名刺情報記憶部を内蔵した名刺を受け付けて当該名刺の内容を参照する名刺参照方法であって、
名刺を受け取る受取者に割り当てられた暗号化鍵データを用いて暗号化された前記名刺発行者の個人情報を前記名刺情報記憶部から読み取る読取工程と、この読取工程に前後して前記暗号化鍵データと対となる復号化鍵データの入力を受け付ける復号化鍵取得工程と、を有し、
前記読取工程にて読み取った暗号化個人情報を前記読み取った復号化鍵データを用いて復号する復号化工程と、この復号された個人情報を表示手段に表示する表示処理工程と、
を有することを特徴とする名刺参照方法。
【請求項２０】
前記復号化鍵取得工程は、前記名刺受取者が所有する個人情報カードに予め記憶された前記復号化鍵データを当該個人情報カードから読み取って取得する、ことを特徴とする請求項１９記載の名刺参照方法。
【請求項２１】
前記復号鍵取得工程は、前記個人情報カードに予め記憶された当該個人情報カードの所有者固有の認証用生体情報を読み取ると共に前記個人情報カードの所有者から当該所有者固有の生体情報の入力を受け付け、前記個人情報カードから読み取った認証用生体情報と前記所有者から入力された生体情報との認証を行い、当該認証が成功したときに前記個人情報カードから所定の情報の読み取りが可能となる、
ことを特徴とする請求項２０記載の名刺発行方法。
【発明の詳細な説明】
【技術分野】
【０００１】
本発明は、名刺発行／参照装置にかかり、特に、紙などの有体物にて形成され電子データの記憶が可能な名刺を発行あるいは参照する装置に関する。
【背景技術】
【０００２】
ビジネスシーンにおいて、通常、ビジネス相手と初対面である場合には、当該相手と名刺交換を行う。かかる名刺交換については、電子化が進んだ現在においては、特許文献１，２に示すように、電子名刺の交換によって行われることがあるが、実際に対面したときには、依然として紙製の名刺が多く利用されている。そして、紙製の名刺には、紙面上に個人情報（名刺情報）、例えば、名刺発行者の氏名、会社名、会社住所、電話番号、メールアドレス、専門分野などのあらゆる個人情報が印刷されているため、名刺を受け取った相手は、かかる個人情報を認識することができる。
【０００３】
【特許文献１】特開２００２−７３８６０号公報
【特許文献２】特開２００３−３０２１１号公報
【発明の開示】
【発明が解決しようとする課題】
【０００４】
一方で、上述したような個人情報が多く印刷されている紙製の名刺を、悪意のある第三者が取得した場合には、印刷された情報を読み取るだけで、簡単に名刺情報に含まれる個人情報が収集されてしまい、セキュリティ面で問題が生じうる。特に、ここ近年では企業での個人情報漏洩が重要な問題となっており、世の中全体として個人情報の保護のためのセキュリティの必要性が求められているため、上述したことは深刻な問題となっている。
【０００５】
このため、本発明では、上記従来例の有する不都合を改善し、特に、名刺の機能を確保しつつ、意図しない第三者に対する個人情報の流出を抑制し、高いセキュリティ保護を実現できる名刺を提供することをその目的とする。
【課題を解決するための手段】
【０００６】
そこで、本発明の一形態である名刺発行装置は、
名刺に内蔵された名刺情報記憶部に、名刺発行者の個人情報を電子データにて書き込む書込手段を備えた名刺発行装置であって、
名刺発行者の個人情報の入力を受け付ける個人情報取得手段と、
名刺を受け取る受取者に割り当てられた暗号化鍵データの入力を受け付ける暗号化鍵取得手段と、
取得した個人情報を暗号化鍵データを用いて暗号化する暗号化手段と、
を備えると共に、
書込手段が、暗号化された個人情報を名刺の名刺情報記憶部に記憶する、
ことを特徴としている。
【０００７】
上記発明によると、まず、名刺発行装置に、名刺発行者の個人情報と、名刺受取者に割り当てられた暗号化鍵データと、が入力され、かかるデータが名刺発行装置に保持される。そして、名刺発行装置では、名刺発行者が受取者に伝えたい個人情報が、暗号化鍵データを用いて暗号化される。その後、名刺発行装置に挿入されているあるいはこれから挿入される名刺に内蔵された名刺情報記憶部に、上記暗号化された個人情報が書き込まれ、かかる名刺が名刺受取者に渡される。従って、名刺には、個人情報が受取者に割り当てられた暗号化鍵にて暗号化されて格納されているため、第三者は名刺を取得しても名刺発行者の個人情報を取得することができない。従って、意図しない第三者に対する個人情報の流出を抑制することができ、高いセキュリティ保護を実現できる。
【０００８】
そして、上記暗号化鍵取得手段は、名刺受取者が所有する個人情報カードに予め記憶された暗号化鍵データを当該個人情報カードから読み取って取得する、ことを特徴としている。また、個人情報取得手段は、名刺発行者が所有する個人情報カードに予め記憶された個人情報を当該個人情報カードから読み取って取得する、ことを特徴としている。
【０００９】
これにより、名刺発行の際には、暗号化鍵データや個人情報が記憶された個人情報カードを名刺発行装置に挿入して作成するため、かかるカードが必要となり、第三者によるなり済ましの作成を防止することができる。これに伴い、名刺を作成する際に、名刺発行者や名刺受取者による個人情報や鍵データなど各情報の入力の手間を省くことができ、セキュリティの高い名刺を容易に作成することができる。
【００１０】
また、個人情報カードに予め記憶された当該個人情報カードの所有者固有の認証用生体情報を読み取る認証用生体情報読取手段と、
個人情報カードの所有者から当該所有者固有の生体情報の入力を受け付ける生体情報取得手段と、
個人情報カードから読み取った認証用生体情報と前記所有者から入力された生体情報との認証を行う認証手段と、を備え、
暗号化鍵取得手段、あるいは、個人情報取得手段は、認証手段による認証が成功したときに個人情報カードから所定の情報の読み取りが可能となる、
ことを特徴としている。
【００１１】
これにより、個人情報カードの所有者を生体認証にて確認した場合にのみ、個人情報カードから個人情報や暗号化鍵データを読み取ることができる。従って、個人情報カードを所有する本人が介在した場合にのみ名刺を発行することができ、セキュリティの向上を図ることができる。
【００１２】
また、暗号化手段は、名刺受取者に割り当てられた暗号化鍵データと対となる復号化鍵データにて符号可能なよう暗号化する、ことを特徴としている。このとき、さらに、復号化鍵データの入力を受け付ける復号化鍵取得手段と、名刺の名刺情報記憶部に記憶された暗号化個人情報を読み取る読取手段と、表示手段と、読み取った暗号化個人情報を読み取った復号化鍵データを用いて復号する復号化手段と、この復号された個人情報を表示手段に表示する表示処理手段と、を備えた、ことを特徴としている。
【００１３】
これにより、名刺発行装置にて、暗号化鍵データと対となる復号化鍵データが読み取られ、かかる復号化データにて名刺に電子データとして記憶された名刺発行者の暗号化された個人情報が復号化される。そして、かかる個人情報が、装置の表示手段に表示される。従って、復号化鍵データを所有している名刺受取者のみが、名刺発行者の個人情報の内容を閲覧することができ、セキュリティの向上を図ることができる。
【００１４】
また、復号化鍵取得手段は、上述したように名刺受取者が所有する個人情報カードに予め記憶された復号化鍵データを当該個人情報カードから読み取って取得する、ことを特徴としている。さらに、復号化鍵取得手段は、上述した認証手段による認証が成功したときに個人情報カードから復号化鍵データの読み取りが可能となる、ことを特徴としている。
【００１５】
これにより、名刺データを読み取る際にも、個人情報カードを用いて予め記憶されている復号鍵データを読み取ったり、かかる読取の際に生体認証を行ったりすることで、名刺に記憶された個人情報の第三者による不正な読み取りを有効に防止することができ、さらなるセキュリティの向上を図ることができる。
【００１６】
また、名刺に形成された印刷表示領域に、個人情報取得手段にて取得された名刺発行者の個人情報の一部を印刷する印刷手段を備えた、ことを特徴としている。これにより、名前や会社名などの基本情報を名刺に印刷しておくことで、通常の名刺としての機能をも発揮させることができ、コミュニケーションの円滑化を図ることができる。
【００１７】
また、本発明の他の形態である名刺参照装置は、
名刺発行者の個人情報が電子データにて記憶された名刺情報記憶部を内蔵した名刺を受け付けて、当該名刺情報記憶部に記憶された電子データを読み取る読取手段と、この読み取ったデータが表示される表示手段と、を備えた名刺参照装置であって、
読取手段は、名刺を受け取る名刺受取者に割り当てられた暗号化鍵データを用いて暗号化された名刺発行者の個人情報を名刺情報記憶部から読み取ると共に、
暗号化鍵データと対となる復号化鍵データの入力を受け付ける復号化鍵取得手段と、読取手段にて読み取った暗号化個人情報を前記読み取った復号化鍵データを用いて復号する復号化手段と、この復号された個人情報を表示手段に表示する表示処理手段と、
を備えたことを特徴としている。
【００１８】
そして、復号化鍵取得手段は、名刺受取者が所有する個人情報カードに予め記憶された復号化鍵データを当該個人情報カードから読み取って取得する、ことを特徴としている。このとき、個人情報カードに予め記憶された当該個人情報カードの所有者固有の認証用生体情報を読み取る認証用生体情報読取手段と、個人情報カードの所有者から当該所有者固有の生体情報の入力を受け付ける生体情報取得手段と、個人情報カードから読み取った認証用生体情報と所有者から入力された生体情報との認証を行う認証手段と、を備え、復号化鍵取得手段は、認証手段による認証が成功したときに個人情報カードから復号化鍵データの読み取りが可能となる、ことを特徴としている。
【００１９】
また、本発明では、上述した名刺発行装置あるいは名刺参照装置にて発行あるいは参照され、暗号化鍵データにて暗号化された名刺発行者の個人情報が記憶される名刺情報記憶部を備えた名刺を提供している。さらに、本発明では、上述した名刺発行装置あるいは名刺参照装置によって読み取られる暗号化鍵データ、復号化鍵データ、個人情報、認証用生体情報、のうち少なくともいずれかを記憶している、ことを特徴としている。
【００２０】
また、本発明の他の形態である名刺発行方法は、
名刺発行者の個人情報が電子データにて記憶される名刺情報記憶部を内蔵した名刺を発行する方法であって、
名刺発行者の個人情報の入力を受け付ける個人情報取得工程と、この個人情報取得工程に前後して名刺を受け取る受取者に割り当てられた暗号化鍵データの入力を受け付ける暗号化鍵取得工程と、を有し、
取得した個人情報を暗号化鍵データを用いて暗号化する暗号化工程と、暗号化された個人情報を名刺の名刺情報記憶部に記憶する書込工程と、
を有する、
ことを特徴としている。
【００２１】
そして、暗号化鍵取得工程は、名刺受取者が所有する個人情報カードに予め記憶された暗号化鍵データを当該個人情報カードから読み取って取得する、ことを特徴としている。また、個人情報取得工程は、名刺発行者が所有する個人情報カードに予め記憶された個人情報を当該個人情報カードから読み取って取得する、ことを特徴としている。
【００２２】
さらに、暗号鍵取得工程、及び／あるいは、個人情報取得工程は、
個人情報カードに予め記憶された当該個人情報カードの所有者固有の認証用生体情報を読み取ると共に個人情報カードの所有者から当該所有者固有の生体情報の入力を受け付け、個人情報カードから読み取った認証用生体情報と前記所有者から入力された生体情報との認証を行い、当該認証が成功したときに個人情報カードから所定の情報の読み取りが可能となる、
ことを特徴としている。
【００２３】
そして、本発明の他の形態である名刺参照方法は、
名刺発行者の個人情報が電子データにて記憶された名刺情報記憶部を内蔵した名刺を受け付けて当該名刺の内容を参照する名刺参照方法であって、
名刺を受け取る受取者に割り当てられた暗号化鍵データを用いて暗号化された名刺発行者の個人情報を名刺情報記憶部から読み取る読取工程と、この読取工程に前後して暗号化鍵データと対となる復号化鍵データの入力を受け付ける復号化鍵取得工程と、を有し、
読取工程にて読み取った暗号化個人情報を読み取った復号化鍵データを用いて復号する復号化工程と、この復号された個人情報を表示手段に表示する表示処理工程と、
を有することを特徴としている。
【００２４】
そして、復号化鍵取得工程は、名刺受取者が所有する個人情報カードに予め記憶された復号化鍵データを当該個人情報カードから読み取って取得する、ことを特徴としている。さらに、復号鍵取得工程は、個人情報カードに予め記憶された当該個人情報カードの所有者固有の認証用生体情報を読み取ると共に個人情報カードの所有者から当該所有者固有の生体情報の入力を受け付け、個人情報カードから読み取った認証用生体情報と所有者から入力された生体情報との認証を行い、当該認証が成功したときに個人情報カードから所定の情報の読み取りが可能となる、ことを特徴としている。
【００２５】
上記構成の方法であっても、上述した装置にかかる発明と同様に作用するため、上記本発明の目的を達成することができる。
【発明の効果】
【００２６】
本発明は、以上のように構成され機能するので、これによると、名刺には、個人情報が受取者に割り当てられた暗号化鍵にて暗号化されて格納されるため、第三者は名刺を取得しても名刺発行者の個人情報を取得することができず、従って、意図しない第三者に対する個人情報の流出を抑制することができ、高いセキュリティ保護を実現できる。
【発明を実施するための最良の形態】
【００２７】
本発明における名刺発行／参照装置は、名刺発行者の個人情報を電子データとして記憶するＩＣチップ（名刺情報記憶部）を内蔵した名刺を発行する、あるいは、記憶されている個人情報を参照するための装置である。以下、実施例にて、具体的な構成及び動作を説明する。
【実施例１】
【００２８】
本発明の第１の実施例を、図１乃至図１０を参照して説明する。図１は、名刺発行／参照装置１の構成を示す外観図であり、図２は、その詳細な構成を示す機能ブロック図である。また、図３は、個人情報カード、名刺の構成を示す機能ブロック図である。図４は、名刺発行／参照時の動作を示す説明図であり、図５乃至図７はシーケンス図である。図８乃至図１０は、実際の使用状況の一例を示す説明図である。
【００２９】
［構成］
図１に示すように、本発明は、名刺発行／参照装置１と、当該名刺発行／参照装置１に挿入され個人情報を電子的に記録可能な個人情報カード２と、同様に名刺発行／参照装置１に挿入され名刺情報を電子的に読み書き可能なＩＣチップ（名刺情報記憶部）を搭載した名刺３と、を備えている。
【００３０】
名刺発行/参照装置１は、個人情報カード２を読み取り可能な個人情報カード挿入部１１と、名刺３の読み書きおよび印刷可能な名刺挿入部１２と、指紋や顔型・虹彩などの生体認証データを入力可能な生体認証データ入力部１３と、名刺３に保存される名刺情報やメッセージ等を表示するための画面表示部１４（表示手段）を備えている。
【００３１】
図２を参照すると、名刺発行／参照装置１は、名刺挿入検知・情報読込部１０１と、名刺参照制御部１０２と、名刺発行制御部１０３と、個人情報カード情報取得部１０４と、個人情報カード読込部１０５と、個人情報カード本人認証部１０６と、認証データ読込部１０７と、名刺情報復号化処理部１０８と、名刺情報暗号化処理部１０９と、名刺情報書込/印刷部１１０と、名刺情報表示処理部１１１と、個人情報カード挿入・取外し制御部１１２と、を備えている。なお、これら各部１０１〜１１２は、名刺発行／参照装置１に搭載されたＣＰＵなどの演算装置に所定のプログラムが組み込まれることにより構築される。
【００３２】
名刺挿入検知・情報読込部１０１（読取手段）は、名刺３が名刺挿入部１２に挿入されたことを検知し、名刺３に内蔵されたＩＣチップ内から暗号化名刺情報３２を取得する。この際に暗号化名刺情報３２が取得できた場合は、名刺参照制御部１０２に暗号化名刺情報を送信する。暗号化名刺情報３２が取得できない場合は、名刺発行制御部１０３に名刺発行要求を行う。
【００３３】
名刺参照制御部１０２は、名刺挿入検知・情報読込部１０１より暗号化名刺情報３２を取得すると、個人情報カード挿入・取外し制御部１１２に個人情報カード挿入確認・要求を行う。その後、個人情報カード情報取得部１０４に復号化鍵２２２を取得するよう要求する。つまり、名刺参照制御部１０２は、個人情報カード情報読込部１０５及び個人情報カード情報取得部１０４と協働して、個人情報カード２から復号化鍵データ２２２を取得するよう作動し、復号化鍵取得手段として機能する。復号化鍵２２２が取得できた場合、暗号化名刺情報３２と復号化鍵２２２を名刺情報復号処理部１０８に引き渡す。
【００３４】
名刺発行制御部１０３は、名刺挿入検知・情報読込部１０１より名刺発行要求を受けると、個人情報カード挿入・取外し制御部１１２に個人情報カード挿入確認・要求を行う。次に個人情報カード情報取得部１０４に暗号化鍵２２１を取得するよう要求する。つまり、名刺発行制御部１０３は、個人情報カード情報読込部１０５及び個人情報カード情報取得部１０４と協働して、個人情報カード２から暗号化鍵データ２２１を取得するよう作動し、暗号化鍵取得手段として機能する。そして、暗号化鍵２１１が取得できた場合、個人情報カード挿入・取外し制御部１１２に個人情報カード交換要求を行う。次に、名刺発行制御部１０３は、名刺作成用個人情報２２３を取得するよう要求する。つまり、名刺発行制御部１０３は、個人情報カード情報読込部１０５及び個人情報カード情報取得部１０４と協働して、個人情報カード２から名刺作成用情報２２３を取得するよう作動し、個人情報取得手段として機能する。そして、取得した暗号化鍵２２１および名刺作成用個人情報２２３は名刺情報暗号化処理部１０９に引き渡す。
【００３５】
個人情報カード情報取得部１０４は、名刺参照制御部１０２や名刺発行制御部１０３からの要求を受けると、個人情報カード本人認証部１０６にカード認証要求を行う。認証要求の結果、認証成功が返却された場合に個人情報カード情報読込部１０５に対して、秘密情報データ領域２２に格納される該当データの読み込みを要求する。そして、個人情報カード情報読込部１０５より取得したデータを要求元である名刺参照制御部１０２、名刺発行制御部１０３それぞれに返却する。
【００３６】
個人情報カード情報読込部１０５は、個人情報カード情報取得部１０４や個人情報カード本人認証部１０６より要求されたデータ（暗号化鍵、復号化鍵、名刺作成用情報、本人認証用データなど）を個人情報カード挿入部１１に挿入された個人情報カード２より読み込み、要求元に該当データを返却する。
【００３７】
個人情報カード本人認証部１０６（認証手段）は、個人情報カード情報取得部１０４からの認証要求を受け、個人情報カード情報読込部１０５に個人情報カード挿入部１１に挿入された個人情報カード２に含まれる本人認証用データ２１１（認証用生体情報）を要求する。また、認証データ読込部１０７に生体認証データ（生体情報）の取得を要求する。これに応じて、個人情報カード情報読込部１０５にて、個人情報カード２に予め記憶された本人認証用データ２１１が読み取られる（認証用生体情報読取手段）。そして、個人情報カード情報読込部１０５にて取得した本人認証用データ２１１と、後述する認証データ読込部１０７から取得した生体認証データに対して生体認証を行い、その結果認証に成功した場合に個人情報カード情報取得部１０４に認証成功を返却する。
【００３８】
認証データ読込部１０７（生体情報取得手段）は、個人情報カード本人認証部１０６より個人認証データ取得要求を受け、生体認証データ入力部１３からのデータ入力を待つ。生体認証データ入力部１３から名刺発行者や名刺受取者の指紋などの生体認証データの入力が行われると、認証データ読込部１０７は入力された生体認証データを個人情報カード本人認証部１０６に返却する。
【００３９】
名刺情報復号処理部１０８（復号化手段）は、名刺参照制御部１０２より上述した暗号化名刺情報３２と復号化鍵２２２を取得すると、取得した復号化鍵２２２を使用して暗号化名刺情報３２の復号化を行う。復号化した名刺情報は名刺情報表示処理部１１１に渡される。
【００４０】
名刺情報暗号化処理部１０９（暗号化手段）は、名刺発行制御部１０３より名刺作成用個人情報２２３と暗号化鍵２２１を取得すると、名刺作成用情報２２３のうち、印刷用途ではない名刺情報を、取得した暗号化鍵２２１により暗号化する。そして、印刷用データと暗号化名刺情報とを名刺情報書込/印刷部１１０に渡す。なお、暗号化処理は、暗号化鍵データと対となる復号化鍵データにて復号可能なよう実行される。
【００４１】
名刺情報書込/印刷部１１０（書込手段、印刷手段）は、名刺情報暗号化処理部１０９より印刷用データと暗号化名刺情報を取得すると、印刷用データに含まれる情報に従い印刷表示領域３１に情報を印刷する。また、暗号化名刺情報をＩＣチップ３２に書き込む。名刺情報表示処理部１１１（表示処理手段）は、名刺情報復号化処理部１０８より引き渡された名刺情報を画面表示部１４に表示を行う。
【００４２】
個人情報カード挿入・取外し制御部１１２は、名刺参照制御部１０２や名刺発行制御部１０３からの個人情報カード挿入確認・要求が発生した場合、個人情報カード挿入部１１に個人情報カード２が挿入されているかをチェックし、挿入されていない場合は画面表示部１４に個人情報カード２を挿入するようメッセージ表示を行う。個人情報カード２が挿入中のなったとき、要求元に完了通知を行う。また、個人情報カード交換要求が発生した場合、画面表示部１４に個人情報カード２を交換するよう画面表示部１４にメッセージ表示を行う。個人情報カード２が交換されたとき、要求元に完了通知を行う。
【００４３】
図３を参照すると、個人情報カード２は、認証データ領域２１と、秘密情報データ領域２２とを備えている。そして、認証データ領域２１は、個人情報カード２の持ち主を特定し承認する為の固有の本人認証用データ２１１（指紋などのバイオメトリクスデータ）が格納されている。また、秘密情報データ領域２２は、本人認証用データ２１１により認証された利用者のみがアクセスが許される領域であり、暗号化鍵２２１と、復号化鍵２２２と、名刺作成用情報２２３と、を備えている。
【００４４】
暗号化鍵２２１は、上述した名刺情報暗号化処理部１０９によりＩＣチップ３２に格納される名刺情報の暗号化を行うための鍵を示す。復号化鍵２２２は、上述した名刺情報復号化処理部１０８によりＩＣチップ３２に格納された暗号化名刺情報の復号化を行うための鍵を示す。なお、暗号化鍵２２１と、復号化鍵２２２とは対となる関係を持ち、暗号化鍵により暗号化された名刺情報は、同一の個人情報カード２に含まれる復号化鍵２２２でのみ復号化が可能である。
【００４５】
名刺作成用情報２２３は、名刺３の含む印刷表示領域３１への印刷情報、およびＩＣチップ３２へ格納する名刺情報をまとめた情報である。つまり、個人情報カードを所有する名刺発行者、あるいは、名刺受取者の個人情報である。
【００４６】
そして、上記のように、名刺３は、印刷表示領域３１を有する共に、ＩＣチップ３２が搭載されている。印刷表示領域３１は、名刺情報書込／印刷部１１０により印刷が可能な領域を示す。ＩＣチップ３２は、名刺情報書込／印刷部１１０により暗号化された名刺情報が書き込みが可能な電子モジュールを示す。
【００４７】
［動作］
次に、図２から図６を参照して、本実施例の動作について詳細に説明する。図４は本実施例の動作開始となる操作、名刺発行／参照装置１への外部からの入力操作、および出力操作を示したものである。また、図５乃至図７は、本発明全体における動作を示すシーケンス図である。
【００４８】
本実施例の動作は、新規名刺の名刺発行／参照装置１への挿入動作（図４の動作Ａ）、発行済名刺の名刺発行／参照装置１への挿入動作（図４の動作Ｂ）が存在する。なお、新規名刺挿入（図４の動作Ａ）は、名刺発行者ａにより名刺受取者向けの名刺を発行する際の名刺発行者の操作により発生し、また、発行済名刺挿入（図４の動作Ｂ）は、名刺発行者ａにより発行された発行済名刺の内容参照のための名刺受取者ｂの操作により発生する。
【００４９】
そして、発行者個人情報カード２Ａには、名刺発行者ａに対応する本人認証用データ２１１と名刺作成情報２２３が格納されており、受取者個人情報カード２Ｂには、名刺受取者ｂに対応する本人認証用データ２２１と名刺作成情報２２３があらかじめカード内に格納されていることとする。
【００５０】
まず、新規名刺挿入が発生すると（図４の動作Ａ、ステップＳ１）、名刺挿入検知・情報読込部１０１が動作し、暗号化名刺情報３２の取得を実行するが、このとき暗号化名刺情報３２が取得できないため、名刺発行制御部１０３に名刺発行要求を行う（ステップＳ２）。
【００５１】
名刺発行制御部１０３は、個人情報カード挿入・取外し制御部１１２にカード挿入確認・要求を行う（ステップＳ３）。個人情報カード挿入・取外し制御部１１２は、個人情報カード挿入部１１に受取者個人情報カード２Ｂを挿入するよう画面表示部１４にメッセージ表示を行う。個人情報カード２Ｂが挿入されたとき（図４の動作Ａ１、ステップＳ４）、名刺発行制御部１０３に完了通知を行う。
【００５２】
名刺発行制御部１０３は、完了通知を取得すると受取者個人情報カード２Ｂ上の暗号化鍵２２１取得のために個人情報カード情報取得部１０４に取得要求を行う。個人情報カード情報取得部１０４は、名刺発行制御部１０３からの要求により、個人情報カード本人認証部１０６にカード認証要求を行う。
【００５３】
個人情報カード本人認証部１０６は、個人情報カード情報取得部１０４からの要求により個人情報カード情報読込部１０５に個人情報カード挿入部１１に挿入された受取者個人情報カード２Ｂに含まれる本人認証用データ２１１の取得を要求する（ステップＳ５）。また、認証データ読込部１０７に生体認証データの取得を要求する。
【００５４】
個人情報カード情報読込部１０５は、受取者個人情報カード２Ｂから要求された本人認証用データ２１１を名刺受取者ｂの個人情報カード２Ｂから取得し（ステップＳ６）、個人情報カード本人認証部１０６に返却する。また、認証データ読込部１０７は個人情報カード本人認証部１０６からの要求により、生体認証データ入力部１３からの受取者ｂの生体認証データの入力待ちを行う（ステップＳ７）。そして、生体認証データ入力部１３から受取者の生体認証データ入力（図４の動作Ａ２、ステップＳ８）が行われると、認証データ読込部１０７は入力された認証データを個人情報カード本人認証部１０６に返却する。
【００５５】
個人情報カード本人認証部１０６は、個人情報カード情報読込部１０５、認証データ読込部１０７の双方より取得した認証用データに対して生体認証を行い（ステップＳ９）、その認証結果、成功した場合には、個人情報カード情報取得部１０４に認証成功を返却する。認証が失敗した場合は画面表示部１４に認証失敗のメッセージを表示し、処理を終了する。
【００５６】
個人情報カード情報取得部１０４は、個人情報カード本人認証部１０６より認証成功が返却されたときのみ、個人情報カード情報読込部１０５に対して、受取者個人情報カード２Ｂ内の秘密情報データ領域２２に格納される暗号化鍵２２１の読み込みを要求する（ステップＳ１０）。個人情報カード情報読込部１０５は、要求された受取者個人情報カード２Ｂから暗号鍵データ２２１を取得し（ステップＳ１１）、個人情報カード情報取得部１０４に返却する（暗号化鍵取得工程）。
【００５７】
個人情報カード情報取得部１０４は、個人情報カード情報読込部１０５より取得した暗号化鍵２２１を名刺発行制御部１０３に引き渡す。名刺発行制御部１０３は、個人情報カード情報取得部１０４より取得した暗号化鍵２２１を取得すると、個人情報カード挿入・取外し制御部１１２にカード交換要求を行う。
【００５８】
個人情報カード挿入・取外し制御部１１２は、個人情報カード挿入部１１に発行者個人情報カード２Ａに交換するよう画面表示部１４にメッセージ表示を行う（ステップＳ１２）。個人情報カード２Ａが挿入（動作Ａ３）されたとき（ステップＳ１３）、名刺発行制御部１０３に完了通知を行う。
【００５９】
名刺発行制御部１０３は、完了通知を取得すると個人情報カード情報取得部１０４に発行者個人情報カード２Ａ上の名刺作成用情報２２３取得のために取得要求を行う。
【００６０】
個人情報カード情報取得部１０４は、名刺発行制御部１０３からの要求により、個人情報カード本人認証部１０６にカード認証要求を行う。個人情報カード本人認証部１０６は、個人情報カード情報取得部１０４からの要求により個人情報カード情報読込部１０５に個人情報カード挿入部１１に挿入された発行者個人情報カード２Ａに含まれる本人認証用データ２１１の取得を要求する。また、認証データ読込部１０７に生体認証データの取得を要求する（ステップＳ１４）。
【００６１】
個人情報カード情報読込部１０５は、要求された本人認証用データ２１１を取得し（ステップＳ１５）、個人情報カード本人認証部１０６に返却する。
【００６２】
また、認証データ読込部１０７は個人情報カード本人認証部１０６からの要求により、生体認証データ入力部１３からのデータ入力待ちを行う（ステップＳ１６）。生体認証データ入力部１３から発行者生体認証データ入力（図４の動作Ａ４）が行われると（ステップＳ１７）、認証データ読込部１０７は入力された認証データを個人情報カード本人認証部１０６に返却する。
【００６３】
個人情報カード本人認証部１０６は、個人情報カード情報読込部１０５、認証データ読込部１０７の双方より取得した認証用データに対して生体認証を行い（ステップＳ１８）、その結果、成功した場合には、個人情報カード情報取得部１０４に認証成功を返却する。認証が失敗した場合は画面表示部１４に認証失敗のメッセージを表示し、処理を終了する。
【００６４】
個人情報カード情報取得部１０４は、個人情報カード本人認証部１０６より認証成功が返却されたときのみ、個人情報カード情報読込部１０５に対して、発行者個人情報カード２Ａ内の秘密情報データ領域２２に格納される名刺作成用情報２２３の読み込みを要求する（ステップＳ１９）。そして、個人情報カード情報読込部１０５は、要求されたデータを取得し（ステップＳ２０）、個人情報カード情報取得部１０４に返却する（個人情報取得工程）。
【００６５】
個人情報カード情報取得部１０４は、個人情報カード情報読み込み部１０５より取得した名刺作成用情報２２３を名刺発行制御部１０３に引き渡す。名刺発行制御部１０３は、取得した発行者個人情報２Ａに含まれる名刺作成用情報２２３と、配布者個人情報カード２Ｂに含まれる暗号化鍵２２１を名刺情報暗号化処理部１０９に引き渡す。
【００６６】
名刺情報暗号化処理部１０９は、名刺発行制御部１０３取得した名刺作成用個人情報２２３と暗号化鍵２２１により、名刺作成用情報２２３のうち、印刷用名刺情報とＩＣチップ格納用名刺情報に分割し、ＩＣチップ格納用データについて暗号化鍵２２１により暗号化する（ステップＳ２１、暗号化工程）。これら印刷用名刺情報とＩＣチップ格納用暗号化名刺情報を名刺情報書込／印刷部１１０に渡す。
【００６７】
名刺情報書込／印刷部１１０は、名刺情報暗号化処理部１０９より取得した印刷用名刺情報とＩＣチップ格納用暗号化名刺情報を取得すると、印刷用名刺情報に含まれる情報に従い、印刷表示領域３１に情報を印刷する（ステップＳ２２）。また、ＩＣチップ格納用暗号化名刺情報をＩＣチップ３２に書き込む（ステップＳ２３、書込工程）。これにより処理を終了する。
【００６８】
次に、図７を参照して、発行済名刺挿入（図４の動作Ｂ）の動作を説明する。はじめに、発行済名刺挿入（図４の動作Ｂ）が発生すると（ステップＳ３１）、名刺挿入検知・情報読込部１０１が動作し、暗号化名刺情報３２の取得を実行する（ステップＳ３２，Ｓ３３、読取工程）。取得した情報がある場合、名刺参照制御部１０２に暗号化名刺情報を引き渡す。
【００６９】
名刺参照制御部１０２は、名刺挿入検知・情報読込部１０１より暗号化名刺情報３２を取得したとき、個人情報カード挿入・取外し制御部１１２にカード挿入確認・要求を行う。個人情報カード挿入・取外し制御部１１２は、個人情報カード挿入部１１に受取者個人情報カード２Ｂを挿入するよう画面表示部１４にメッセージ表示を行う（ステップＳ３４）。個人情報カード２Ｂが挿入（図４の動作Ｂ１）されたとき（ステップＳ３５）、名刺参照制御部１０２に完了通知を行う。
【００７０】
名刺参照制御部１０２は、完了通知を取得すると個人情報カード情報取得部１０４に受取者個人情報カード２Ｂ上の復号化鍵２２２取得のために取得要求を行う。個人情報カード情報取得部１０４は、名刺参照制御部１０２からの要求により、個人情報カード本人認証部１０６にカード認証要求を行う。
【００７１】
個人情報カード本人認証部１０６は、個人情報カード情報取得部１０４からの要求により個人情報カード情報読込部１０５に個人情報カード挿入部１１に挿入された受取者個人情報カード２Ｂに含まれる本人認証用データ２１１の取得を要求する（ステップＳ３６）。また、認証データ読込部１０７に生体認証データの取得を要求する。
【００７２】
個人情報カード情報読込部１０５は、要求された本人認証用データ２１１を取得し（ステップＳ３７）、個人情報カード本人認証部１０６に返却する。また、認証データ読込部１０７は個人情報カード本人認証部１０６からの要求により、生体認証データ入力部１３からのデータ入力待ちを行う（ステップＳ３８）。生体認証データ入力部１３から受取者生体認証データ入力（図４の動作Ｂ２）が行われると（ステップＳ３９）、認証データ読込部１０７は入力された認証データを個人情報カード本人認証部１０６に返却する。
【００７３】
個人情報カード本人認証部１０６は、個人情報カード情報読込部１０５、認証データ読込部１０７、双方より取得した認証用データに対して生体認証を行い（ステップＳ４０）、その認証に成功した場合には、個人情報カード情報取得部１０４に認証成功を返却する。認証が失敗した場合は画面表示部１４に認証失敗のメッセージを表示し、処理を終了する。
【００７４】
個人情報カード情報取得部１０４は、個人情報カード本人認証部１０６より認証成功が返却されたときのみ、個人情報カード情報読込部１０５に対して、受取者個人情報カード２Ｂ内の秘密情報データ領域２２に格納される復号化鍵２２２の読み込みを要求する（ステップＳ４１）。そして、個人情報カード情報読込部１０５は、要求された復号化鍵２２２を取得し（ステップＳ４２、復号化鍵取得工程）、個人情報カード情報取得部１０４に返却する。
【００７５】
個人情報カード情報取得部１０４は、個人情報カード情報読込部１０５より取得した復号化鍵２２２を名刺参照制御部１０２に引き渡す。名刺参照制御部１０２は、取得した暗号化名刺情報３２と、受取者個人情報カード２Ｂに含まれる復号化鍵２２２を、名刺情報復号化処理部１０８に引き渡す。
【００７６】
名刺情報暗号化処理部１０８は、名刺参照制御部１０２より取得した暗号化名刺情報３２を、復号化鍵２２２により復号化する（ステップＳ４３、復号化工程）。復号された名刺情報は名刺情報表示処理部１１１に渡される。名刺情報表示処理部１１１は、名刺情報復号化処理部１０８より取得した名刺情報を画面表示部１４に表示を行う（ステップＳ４４、表示処理工程）。これにより処理を終了する。
【００７７】
次に、図８乃至図１０を用いて、実際の使用状況を説明する。図８の説明図では、人物ａ、人物ｂ、人物ｃはそれぞれ個人情報カードＡ、個人情報カードＢ、個人情報カードＣを所持していることとする。また、個人情報カードＡ〜個人情報カードＣはそれぞれ個人情報カードを所持している持ち主の本人認証用データおよび名刺作成用情報を含んでいることとする。
【００７８】
そして、このとき、人物ａが人物ｂに対してそれぞれが所持する個人情報カードＡ、個人情報カードＢを用いて名刺を発行したとする。すると、人物ｂのみが人物ａの名刺のＩＣチップ内の名刺情報の参照が可能であり、第三者である人物ｃが人物ａの名刺のＩＣチップ内の名刺情報の内容を参照できないことの実施例を例１〜３を用いて説明する。なお、以下の例１は、人物ｂが個人情報カードＢを用いてＡさんの名刺に含まれるＩＣチップ内の名刺情報の参照を行おうとした場合、例２は、人物ｃが個人情報カードＣを用いて人物ａの名刺に含まれるＩＣチップ内の名刺情報の参照を行おうとした場合、例３は人物ｃが個人情報カードＢを用いて人物ａの名刺に含まれるＩＣチップ内の名刺情報の参照を行おうとした場合を示している。
【００７９】
各例を説明する上で、まず人物ａが人物ｂに名刺を発行する際の処理を説明する。図９は、人物ａが人物ｂに名刺を発行する際の処理の説明図である。本説明図によると、名刺の発行は、まず、個人情報カードＡと人物ａとの本人認証（動作１）を行う。本人認証（動作１）で問題が無ければ、次に個人情報カードＢと人物ｂとの本人認証（動作２）を行う。本人認証（動作２）で問題が無ければ、個人情報カードＡにある人物ａの名刺作成情報を取得し、人物ａの名刺情報と、人物ａの印刷情報に分割される（動作３）。人物ａの名刺情報は個人情報カードＢに含まれる人物ｂの暗号化鍵により暗号化（動作４）が行われ、人物ａの名刺にあるＩＣチップ内に格納される。また、人物Ａの印刷情報は印刷（動作５）により、人物ａの名刺にある印刷表示領域に印刷される。
【００８０】
次に、例１〜例３の動作例を説明する。図１０は、例１〜例３の動作例の説明図である。動作例１の場合（図１０（ａ）参照）、まず、個人情報カードＢと人物ｂとの本人認証（動作１）を行う。この場合に本人認証（動作１）に問題が無いため、次に人物ａの名刺に保存される人物ａの暗号化名刺情報を取得し、個人情報カードＢに保存される人物ｂの復号化鍵により復号化（動作２）を行う。人物ａの暗号化名刺情報は、図９にて人物ｂの暗号化鍵により暗号化された名刺情報であるため、対となる人物ｂの復号化鍵での復号が可能であり、人物ａの名刺情報を取得することが出来る。これにより、名刺情報の表示（動作３）を行うことが可能となる。
【００８１】
動作例２の場合（図１０（ｂ）参照）、まず、個人情報カードＣと人物ｃとの本人認証（動作１）を行う。この場合に本人認証（動作１）に問題が無いため、次に人物ａの名刺に保存される人物ａの暗号化名刺情報を取得し、個人情報カードＣに保存される人物ｃの復号化鍵により復号化（動作２）を行う。人物ａの暗号化名刺情報は、図９にて人物ｂの暗号化鍵により暗号化された名刺情報であるため、対ではない人物ｃの復号化鍵での復号は失敗する。このため、人物ａの名刺情報を取得することはできず、名刺情報の表示を行うことは不可となる。
【００８２】
動作例３の場合（図１０（ｃ）参照）、まず、個人情報カードＢと人物ｃとの本人認証（動作１）を行う。この場合に本人認証（動作１）にて問題が検出されるため、個人情報カードＢに含まれる人物ｂの復号化鍵の取得は失敗する。従って、人物ａの名刺情報を取得することは出来ず、名刺情報の表示を行うことは不可となる。
【００８３】
以上説明したように、本発明によると、名刺発行者が名刺受取者に名刺を発行する際、名刺に含まれるＩＣチップ内の名刺情報を名刺受取者の個人情報カードに含まれる暗号化鍵で暗号化を行っており、この暗号化された名刺情報は対となる名刺配布者の個人情報カードに含まれる復号化鍵のみであるため、受取者のみが名刺情報を参照することができる。従って、仮に名刺が第三者の手に渡ったとしても、当該第三者は名刺発行者の個人情報を閲覧することができない。これにより、意図しない第三者に対する個人情報の流出を抑制することができ、高いセキュリティ保護を実現できる。
【００８４】
また、各自の個人情報カードには本人認証用の生体認証データが含まれており、この生体認証データに合致する人物しか個人情報カードに含まれる秘密情報を使用することができないため、名刺発行者が名刺受取者に発行した名刺に含まれるＩＣチップ内の名刺情報は、指定した受取者のみ参照可能であり、さらなるセキュリティの向上を図ることができる。
【産業上の利用可能性】
【００８５】
本発明によれば、名刺一枚一枚の発行ごとに相手の持つ個人情報カードに含まれる暗号鍵にて名刺情報を暗号化することによって、その個人情報カードでしか名刺情報を復号化して参照することができず、また個人情報カード自身が持っている生体認証データと一致する生体情報を持つ人しかその個人情報カードを使用できないようにすることより、特定の人物のみが名刺情報を参照することを可能とする。具体的には、名刺を信頼できる人にのみ発行をするような、名刺の交換といった用途に使用できる。
【図面の簡単な説明】
【００８６】
【図１】本発明である名刺発行／参照装置を含むシステム構成を示す図である。
【図２】図１に開示した名刺発行／参照装置の内部構成を示す機能ブロック図である。
【図３】図３（ａ）は、図１に開示した個人情報カードの構成を示す機能ブロック図であり、図３（ｂ）は、図１に開示した名刺の構成を示す機能ブロック図である。
【図４】図１に開示したシステムの動作を示す説明図である。
【図５】図１に開示したシステムの名刺発行時の動作を示すシーケンス図である。
【図６】図１に開示したシステムの名刺発行時の動作を示すシーケンス図であり、図５の続きを示す。
【図７】図１に開示したシステムの名刺参照時の動作を示すシーケンス図である。
【図８】名刺発行／参照時の動作例を示す説明図である。
【図９】名刺発行時の動作例を示す説明図である。
【図１０】図１０（ａ）〜（ｃ）は、それぞれ名刺参照時の動作例を示す説明図である。
【符号の説明】
【００８７】
１  名刺発行／参照装置
２  個人情報カード
３  名刺
１１  個人情報カード挿入部
１２  名刺挿入部
１３  生体認証データ入力部
１４  画面表示部
２１  認証データ領域
２２  秘密情報データ領域
３１  印刷表示領域
３２  ＩＣチップ（暗号化名刺情報）
１０１  名刺挿入検知・情報読込部
１０２  名刺参照制御部
１０３  名刺発行制御部
１０４  個人情報カード情報取得部
１０５  個人情報カード情報読込部
１０６  個人情報カード本人認証部
１０７  認証データ読込部
１０８  名刺情報復号化処理部
１０９  名刺情報暗号化処理部
１１０  名刺情報書込／印刷部
１１１  名刺情報表示処理部
２１１  本人認証用データ
２２１  暗号化鍵
２２２  復号化鍵
２２３  名刺作成用情報
【図１】
2007185821.tif 000003
【図２】
2007185821.tif 000004
【図３】
2007185821.tif 000005
【図４】
2007185821.tif 000006
【図５】
2007185821.tif 000007
【図６】
2007185821.tif 000008
【図７】
2007185821.tif 000009
【図８】
2007185821.tif 000010
【図９】
2007185821.tif 000011
【図１０】
2007185821.tif 000012